(57)【要約】【課題】  本発明は、持ち物管理装置及び持ち物管理方法に関し、例えば車両の乗降者に係る忘れ物の管理に適用して、常時監視することなく、簡易かつ確実に、持ち物の紛失、置き忘れ等を防止することができるようにする。【解決手段】  本発明は、例えば車両の乗車、降車の時点でそれぞれ無線通信により検出される機器の比較によりユーザーの携帯する機器の変化を検出する。【選択図】        図１
2005128729.tif 000002
【特許請求の範囲】
【請求項１】
ユーザーが携帯可能な機器に関する持ち物管理装置であって、
無線通信により通信可能範囲に存在する前記機器から前記機器の識別情報を取得する無線通信手段と、
前記無線通信手段の動作を制御して、前記無線通信手段で取得された識別情報を処理する制御手段とを備え、
前記制御手段は、
第１のトリガにより、前記無線通信手段で取得される前記識別情報を記録して保持し、
前記第１のトリガより異なる時点で得られる第２のトリガにより、前記無線通信手段で取得される前記識別情報と、前記記録して保持した識別情報とを比較し、該比較結果に基づいて、前記第１のトリガが得られた時点から前記第２のトリガが得られた時点までの間で、ユーザーが携帯してなる前記機器の変化を前記ユーザーに通知する
ことを特徴とする持ち物管理装置。
【請求項２】
前記ユーザーを識別するユーザー識別手段を有し、
前記制御手段は、
前記ユーザー識別手段による識別結果に基づいた同一のユーザーに係る前記識別情報の比較により、該ユーザーに係る前記保持してなる機器の変化を通知する
ことを特徴とする請求項１に記載の持ち物管理装置。
【請求項３】
前記無線通信手段は、
前記識別情報と共に、前記機器の状態を示す状態情報を取得し、
前記制御手段は、
前記状態情報に基づいて、前記機器の変化と共に前記機器の情報を前記ユーザーに通知する
ことを特徴とする請求項１に記載の持ち物管理装置。
【請求項４】
前記第１のトリガが、車両への乗車、又は前記車両からの降車であり、
前記第２のトリガが、前記車両からの降車、又は前記車両への乗車である
ことを特徴とする請求項１に記載の持ち物管理装置。
【請求項５】
前記第１のトリガが、入室、又は退室であり、
前記第２のトリガが、退室、又は入室である
ことを特徴とする請求項１に記載の持ち物管理装置。
【請求項６】
ユーザーが携帯可能な機器に関する持ち物管理方法であって、
第１のトリガにより、無線通信により通信可能範囲に存在する機器から前記機器の識別情報を取得して記録する記録のステップと、
前記第１のトリガより異なる時点で得られる第２のトリガにより、無線通信により通信可能範囲に存在する機器から前記機器の識別情報を取得し、該取得した識別情報と、前記記録して保持した識別情報とを比較する比較のステップと、
前記比較のステップによる比較結果に基づいて、前記第１のトリガが得られた時点から前記第２のトリガが得られた時点までの間で、ユーザーが携帯してなる前記機器の変化を前記ユーザーに通知する通知のステップとを有する
ことを特徴とする持ち物管理方法。
【発明の詳細な説明】
【技術分野】
【０００１】
本発明は、持ち物管理装置及び持ち物管理方法に関し、例えば車両の乗降者に係る忘れ物の管理に適用することができる。本発明は、例えば車両の乗車、降車の時点でそれぞれ無線通信により検出される機器の比較によりユーザーの携帯する機器の変化を検出することにより、常時監視することなく、簡易かつ確実に、持ち物の紛失、置き忘れ等を防止することができるようにする。
【背景技術】
【０００２】
従来、各種の機器においては、無線通信による機器間の通信を利用して紛失、置き忘れを防止する方法が種々に提案されるようになされている。すなわち例えば特開２００２−２４１０８号公報においては、一定の周期で他の機器と無線通信して無線通信範囲からの機器の逸脱を監視することにより、携帯機器の置き忘れ等を検出する方法が提案されるようになされている。
【０００３】
しかしてこれらの方法による管理においては、無線通信による応答の有無により管理対象の置き忘れ等を判断するものであることにより、原則として、管理対象を常時監視することが必要になる。これにより管理対象の機器がバッテリによる動作するものの場合、長期間、継続して使用できない欠点がある。
【０００４】
これによりこのように常時監視することなく、簡易かつ確実に、持ち物の紛失、置き忘れ等を防止することができれば、便利であると考えられる。
【特許文献１】特開２００２−２４１０８号公報
【発明の開示】
【発明が解決しようとする課題】
【０００５】
本発明は以上の点を考慮してなされたもので、常時監視することなく、簡易かつ確実に、持ち物の紛失、置き忘れ等を防止することができる持ち物管理装置及び持ち物管理方法を提案しようとするものである。
【課題を解決するための手段】
【０００６】
かかる課題を解決するため請求項１の発明においては、ユーザーが携帯可能な機器に関する持ち物管理装置に適用して、第１のトリガにより、無線通信手段で取得される識別情報を記録して保持し、第１のトリガより異なる時点で得られる第２のトリガにより、無線通信手段で取得される識別情報と、記録して保持した識別情報とを比較し、該比較結果に基づいて、第１のトリガが得られた時点から第２のトリガが得られた時点までの間で、ユーザーが携帯してなる機器の変化をユーザーに通知する。
【０００７】
また請求項６の発明においては、ユーザーが携帯可能な機器に関する持ち物管理方法に適用して、第１のトリガにより、無線通信により通信可能範囲に存在する機器から機器の識別情報を取得して記録する記録のステップと、第１のトリガより異なる時点で得られる第２のトリガにより、無線通信により通信可能範囲に存在する機器から機器の識別情報を取得し、該取得した識別情報と、記録して保持した識別情報とを比較する比較のステップと、比較のステップによる比較結果に基づいて、第１のトリガが得られた時点から第２のトリガが得られた時点までの間で、ユーザーが携帯してなる機器の変化をユーザーに通知する通知のステップとを有するようにする。
【０００８】
請求項１の構成により、ユーザーが携帯可能な機器に関する持ち物管理装置に適用して、第１のトリガにより、無線通信手段で取得される識別情報を記録して保持し、第１のトリガより異なる時点で得られる第２のトリガにより、無線通信手段で取得される識別情報と、記録して保持した識別情報とを比較し、該比較結果に基づいて、第１のトリガが得られた時点から第２のトリガが得られた時点までの間で、ユーザーが携帯してなる機器の変化をユーザーに通知すれば、例えばこれら第１及び第２のトリガが車両の乗車、降車である場合には、これら第１及び第２のトリガが得られた時点における無線通信だけで、車内に置き忘れた機器を検出することができ、これにより常時監視することなく、簡易かつ確実に、持ち物の紛失、置き忘れ等を防止することができる。
【０００９】
これにより請求項２の構成によれば、常時監視することなく、簡易かつ確実に、持ち物の紛失、置き忘れ等を防止することができる持ち物管理方法を提供することができる。
【発明の効果】
【００１０】
本発明によれば、常時監視することなく、簡易かつ確実に、持ち物の紛失、置き忘れ等を防止することができる。
【発明を実施するための最良の形態】
【００１１】
以下、適宜図面を参照しながら本発明の実施例を詳述する。
【実施例１】
【００１２】
（１）実施例１の構成
図２は、本発明の実施例に係る持ち物管理装置を関連する構成と共に示すブロック図である。この持ち物管理装置１は、車両に搭載される車載装置であり、無線通信により車内に存在する機器を検出してユーザーに忘れ物を通知する。
【００１３】
ここでこの持ち物管理装置１では、この無線通信に近距離通信用の無線通信が適用され、対応する無線通信機能を有してなる機器を管理対象に設定できるようになされている。具体的に、この持ち物管理装置１は、ＩＥＥＥ (The Institute of Electrical and Electoronics Engineers,Inc.)８０２．１１、Bluetooth 、非接触型ＩＣカードに係る無線通信手段が設けられるようになされ、これらの無線通信手段に対応する機器を管理対象に設定できるようになされている。
【００１４】
これにより持ち物管理装置１は、例えばＩＥＥＥ８０２．１１又はBluetooth の通信部２Ａ、３Ａ、これら通信部２Ａ、３Ａの動作を制御するコントローラ２Ｂ、３Ｂを有してなる携帯電話２、ＰＤＡ（Personal Digital Assistants ）３を管理対象に設定できるようになされている。また非接触型ＩＣカードに係る通信部４Ａ、この通信部４Ａの動作を制御するコントローラ４Ｂを有してなるＩＣカードである定期券、同種の社員証等のパスについても、管理対象に設定できるようになされている。しかしてこれらの機器２、３、４のコントローラ２Ｂ、３Ｂ、４Ｂにおいては、持ち物管理装置１からの呼びかけに応答するように対応する通信部２Ａ、３Ａ、４Ａの動作を制御して認証等の処理を実行し、各機器の種類を特定する識別コード等を送出するようになされている。
【００１５】
持ち物管理装置１は、搭載された車両にユーザーが搭乗する際、このユーザーが降車する際に、これら管理対象に係る忘れ物をユーザーに通知する。このため持ち物管理装置１は、これら搭乗する際、降車する際の処理に係るトリガをこの車両のコントローラ６より取得する。
【００１６】
すなわちこの実施例において、電子キー７は、この車両に近接して保持されると、車両に設けられた通信部８からの呼びかけに応答して認証の処理等を実行し、これにより車両のドアロックの解除に係るトリガを提供する。またこの通信部８による通信可能範囲より逸脱すると、動作を停止し、これにより車両にドアロックの施錠に係るトリガを提供する。なお電子キー７においては、ユーザーによる操作子の操作によりドアロックの施錠、解錠を指示する方式等にあっても、広く適用することができる。
【００１７】
通信部８は、この電子キー７に対応する構成であり、コントローラ６の制御により、一定の時間間隔で、電子キー７に応答を呼びかけ、応答が得られると、電子キー７との間で認証の処理を実行する。また正しく認証することができると、コントローラ６に電子キー７の検出を通知する。またこのようにして電子キー７の検出を通知した後においては、同様に、一定の時間間隔で、電子キー７に応答を呼びかけて電子キー７の存在を確認し、この電子キー７からの応答が得られなくなると、コントローラ６にその旨を通知する。なお電子キー７がユーザーによる操作子の操作に応動してドアロックの施錠、解錠を指示する方式の場合、通信部８は、このようなユーザーによる操作に応動して電子キー７から得られる呼びかけに応答して認証等の処理を実行し、正しく認証できるとコントローラ６にユーザーによる電子キー７の操作を通知するようになされている。
【００１８】
コントローラ６は、この車両全体の動作を制御するコンピュータであり、通信部８から得られる電子キー７との間の処理の通知により、ドアロックを解除し、またこれとは逆にドアロックを施錠する。これによりこの実施例では、電子キー７によりドアロックを操作できるようになされている。しかしてこのように電子キー７によりドアロックを解除する場合は、ユーザーが車両に乗車する場合であり、電子キー７によりドアロックを施錠する場合は、ユーザーが車両より降車して車両から離れつつある場合であると判断することができる。これらによりコントローラ６は、このようなドアロックの解除、施錠を持ち物管理装置１に通知する。
【００１９】
またコントローラ６は、搭乗者検出手段による搭乗者の検出結果を持ち物管理装置１に通知する。ここでこのような搭乗者検出手段は、例えば運転席に設けられた圧力センサ、運転席の撮像結果を処理する画像処理手段等により、座席へのユーザーの着席を検出するようになされている。しかして車両においては、例えばドアロックを解除した後においても、ユーザーが即座に乗り込まない場合もあり、また降車のために車内で電子キー７を操作してドアロックを解除する場合もある。しかしながらドアロックが解除された時点で、搭乗者検出手段によりユーザーが座席で検出されない場合であって、その後、搭乗者検出手段によりユーザーが座席で検出された場合、この搭乗者検出手段によるユーザーの検出によりユーザーによる乗車が完了したと判断することができる。またこれとは逆に、搭乗者検出手段によりユーザーが検出されなくなり、ドアロックが施錠された場合には、ユーザーが車両を降車して車両から離れる場合と判断することができる。
【００２０】
これらによりこの実施例では、ユーザーによる車両への乗車、降車を確実に検出し、これらユーザーの車両への搭乗、降車をトリガにして忘れ物を管理できるようになされている。
【００２１】
コントローラ６は、このようにして持ち物管理装置１へドアロックの施錠を通知して、持ち物管理装置１から警告が指示されると、ハザードランプを一定期間点滅させ、これにより車両を降車したユーザーに忘れ物の存在を通知するようになされている。
【００２２】
しかして持ち物管理装置１は、このようにして得られる車両側からの乗車、降車に係るトリガにより、車内に持ち込まれている無線通信可能な機器との間で無線通信の処理を実行し、車内に存在する機器を検出する。またこの検出結果と対応する過去の検出結果とを比較し、この比較結果によりユーザーの携帯する機器の変化を検出して忘れ物を検出し、この検出した忘れ物をユーザーに通知する。
【００２３】
すなわち持ち物管理装置１において、通信部１０は、この車両の室内にアンテナが設けられてなる近距離通信用の通信手段であり、送信電力の設定等によりこの車内の空間が通信可能範囲に設定されるようになされている。この実施例において、通信部１０は、ＩＥＥＥ８０２．１１、Bluetooth 、非接触型ＩＣカードに係る無線通信手段が設けられて、それぞれこの車両の室内が通信可能範囲となるように送信電力等が設定され、コントローラ１１の制御により、これら無線通信手段を介してこの通信可能範囲に存在する無線通信可能な機器に対して応答を呼びかける。またこれらの機器より応答が得られると、コントローラ１１の制御により、認証の処理を実行した後、機器の種別を特定する識別情報等を応答の得られた機器より取得してコントローラ１１に通知する。ここでこのような機器の種別を特定する識別情報（ＩＤ情報である）にあっては、例えば各機器に設定された識別コードの取得が考えられる。なお例えば定期券等のＩＣカードにあって、このような機器の種別にあっては、応答の得られた無線通信手段より特定することも可能である。
【００２４】
操作部１２は、この車両のダッシュボードに設けられた操作子により形成され、ユーザーによる操作をコントローラ１１に通知する。記録部１３は、コントローラ１１の処理プログラム、コントローラ１１の処理に必要な各種のデータを記録して保持し、これらのデータをコントローラ１１の制御により出力する。表示部１４は、液晶表示パネルにより構成され、コントローラ１１の制御により忘れ物の検出結果等を表示する。
【００２５】
コントローラ１１は、この持ち物管理装置１の動作を制御するコンピュータであり、記録部１３に記録された処理プログラムの実行により管理に係る持ち物の登録を受け付け、表示部１４の表示により、さらにはスピーカ１５からの音声出力により、忘れ物をユーザーに通知する。
【００２６】
図１は、このコントローラ１１の処理手順を示すフローチャートである。コントローラ１１は、車両のコントローラ６からのドアロックの施錠、解錠の通知、搭乗者検出手段による検出結果の通知により、ユーザーが乗車して運転席に着席し、これによりユーザーの携帯する各種機器が持ち物管理装置１に係る通信可能範囲に確実に存在することになったと判断されると、この処理手順を実行する。
【００２７】
コントローラ１１は、この処理手順を開始すると、ステップＳＰ１からステップＳＰ２に移り、通信部１０を駆動して応答の呼びかけを送出させ、この呼びかけに対する応答より、車内に存在する無線通信可能な機器を検出する。さらにこの検出結果により車内に無線通信可能な機器が存在するか否か判断する。
【００２８】
ここで通信部１０による応答の呼びかけにより応答が得られない場合、コントローラ１１は、車内に無線通信可能な機器が存在しないと判断してステップＳＰ２からステップＳＰ３に移り、この処理手順を終了する。
【００２９】
これに対して通信部１０による呼びかけに応答が得られると、コントローラ１１は、ステップＳＰ２からステップＳＰ４に移り、この応答が得られた機器との間の認証等の処理を通信部１０に指示する。またその後、通信部１０の制御により、応答を返した機器の種類を識別可能にこの機器からＩＤ情報を取得する。
【００３０】
このようにしてＩＤ情報を取得すると、コントローラ１１は、ステップＳＰ５に移り、この検出したＩＤ情報により、記録部１３に記録された管理対象の記録を検索することにより、この応答を返した機器が管理対象として登録された機器か否か判断する。ここでこの実施例においては、後述するステップＳＰ６の処理により、図３に示すように、この持ち物管理装置１の管理対象を登録できるようになされ、この管理対象に係る識別情報を記録部１３に保持するようになされている。しかしてこの図３に示す例では、ＰＤＡ２、携帯電話３、パス４が管理対象として登録されていることが示されるようになされている。
【００３１】
このステップＳＰ５で否定結果が得られると、コントローラ１１は、ステップＳＰ５からステップＳＰ６に移り、表示部１４の表示、スピーカ１５からの音声出力により未登録の機器の検出をユーザーに通知する。またこの通知により管理対象に登録するか否かのユーザーによる選択を受け付け、操作部１２の操作によりユーザーが管理対象への登録を指示すると、検出したＩＤ情報を管理対象として記録部１３に記録する。またこの記録において、ＩＤ情報によっては、一般の機器名称（例えば携帯電話、定期、社員証等）を判別できない場合には、このような一般の機器名称の入力を受け付けた後、ステップＳＰ７に移る。これによりコントローラ１１は、簡易な処理により図３について上述したように管理対象を登録できるようになされている。
【００３２】
続くステップＳＰ７において、コントローラ１１は、応答が検出された全ての機器について処理を完了したか否か判断し、ここで否定結果が得られると、ステップＳＰ７からステップＳＰ８に移り、次の機器に処理対象を切り換え、ステップＳＰ４に戻る。これによりコントローラ１１は、車内に保持されてなる他の機器について改めてＩＤ情報を取得した後、ステップＳＰ５で登録されているか否か判断するようになされている。
【００３３】
これに対してステップＳＰ５で肯定結果が得られると、コントローラ１１は、ステップＳＰ５からステップＳＰ９に移る。ここでコントローラ１１は、例えばユーザーの事前の設定に従って、バッテリ残量等の、機器の状態を示す状態情報を取得し、この検出した状態情報をＩＤ情報と共に記録部１３に一時記録した後、ステップＳＰ７に移る。これによりコントローラ１１は、通信部１０で応答が検出された全ての機器について、順次、ＩＤ情報を検出して管理対象の機器を検出し、管理対象の機器について、図３に示すように、乗車時にユーザーが携帯していた機器情報として記録部１３に記録する。しかして図３に示す例では、管理対象として登録されたＰＤＡ２、携帯電話３、定期券等のパス４に関して、この図３に示す乗車時の処理に係る検出結果としてＩＮにより示すように、これらＰＤＡ２、携帯電話３、パス４の検出が記録に残されるようになされている。
【００３４】
コントローラ１１は、このようにして通信部１０で応答が検出された全ての機器についてこれらの処理を完了すると、ステップＳＰ７で肯定結果が得られることにより、ステップＳＰ７からステップＳＰ１０に移り、比較対象が記録部１３に記録されているか否か判断する。ここでコントローラ１１は、ユーザーがこの車両を降車した際にも、後述する同様の処理手順を実行し、図３に示すように、ユーザーが携帯して車両から持ち去った機器を記録に残すようになされている。しかしてこの図３に示す例では、ＯＵＴによりこの降車時における検出結果が示され、ＰＤＡ２、携帯電話３においては、ユーザーが携帯して持ち去ったものの、パス４については、車内に放置されたままであることが示されるようになされている。
【００３５】
しかしてこの車両に初めて無線通信可能な機器を携帯してユーザー乗車した場合、このような降車時に係る記録が存在しないことにより、コントローラ１１は、ステップＳＰ１０で否定結果が得られ、この場合、ステップＳＰ１０からステップＳＰ３に移ってこの処理手順を終了する。
【００３６】
これに対してステップＳＰ１０で肯定結果が得られると、コントローラ１１は、ステップＳＰ１０からステップＳＰ１１に移り、この比較対象である降車時の記録と、この処理手順に係る乗車時の記録とを比較し、この比較結果により、降車時にユーザーが携帯していた機器であって、この処理手順に係る乗車時に車内で検出されない機器を検出する。これによりコントローラ１１は、ユーザーが降車した後、乗車するまでの間の忘れ物を検出する。また併せて乗車時に携帯していない機器であって、かつこの乗車時においても検出されない機器を検出する。
【００３７】
続いてコントローラ１１は、ステップＳＰ１２に移り、ステップＳＰ１１における検出結果に対応する音声データを記録部１３から読み出し、続くステップＳＰ１３において、この読み出した音声データによる音声出力により、また表示部１４の表示により、忘れ物の検出結果をユーザーに通知した後、ステップＳＰ３に移ってこの処理手順を終了する。しかして図４は、このステップＳＰ１３による表示部１４の表示を示す平面図である。この図４の例では、ＰＤＡ２、携帯電話３の双方が車内で検出され、これらＰＤＡ２、携帯電話３が忘れ物となっていないことが「ＯＫ」の表示により示される反面、パス４については、乗車時、携帯していたものが、今回の乗車時には検出されず、これによりパス４が忘れ物として表示されるようになされている。なお降車時、乗車時の双方で検出されない機器にあっては、対応するマークにより示されるようになされている。
【００３８】
これらによりこの持ち物管理装置１では、例えば立ち寄り先での忘れ物を、この表示により確認できるようになされている。
【００３９】
この表示に係る処理において、コントローラ１１は、ステップＳＰ９で検出した状態情報により各機器の状態をユーザーに通知し、これにより例えばバッテリの残量が少なくなっている機器については、充電が必要な旨、ユーザーに通知する。これによりこの持ち物管理装置１では、忘れ物の監視、通知の際に、併せて機器の状態をユーザーに通知し、予想外に機器を使用できないような状況を有効に回避できるようになされている。
【００４０】
図５は、降車時に係るコントローラ１１の処理手順を示すフローチャートである。コントローラ１１は、搭乗者検出手段による検出結果の通知により、ユーザーが運転席に存在しなくなり、この状態でドアロックの施錠の通知によりユーザーの降車が検出されると、この処理手順を実行する。
【００４１】
この処理手順においてコントローラ１１は、ステップＳＰ２１からステップＳＰ２２に移り、通信部１０を駆動して応答の呼びかけを送出させ、この呼びかけに対する応答より、車内に存在する無線通信可能な機器を検出する。さらにこの検出結果により車内に無線通信可能な機器が存在するか否か判断する。
【００４２】
ここで通信部１０による応答の呼びかけにより応答が得られない場合、車内に無線通信可能な機器が存在しないことにより、コントローラ１１は、ステップＳＰ２２からステップＳＰ２３に移る。ここでこの場合、乗車時に検出された携帯機器については、全てユーザーが携帯して持ち去ったことになることにより、コントローラ１１は、記録部１３に記録した乗車時で検出した機器の記録を降車時にユーザーが携帯した記録にコピーする。しかしてこの場合図３に示すように、ＩＮにより示される乗車時において、ＰＤＡ２、携帯電話３、パス４の全てが検出されている場合には、ＯＵＴにより示す降車時におけるユーザーの携帯の記録に、これらが全ての機器がユーザーにより携帯されていることを示す記録を設定することになり、この図３に示す例では、ＯＵＴの各項目に全て○印を設定することになる。
【００４３】
このようにして記録部１３の記録を更新すると、コントローラ１１は、ステップＳＰ２４に移ってこの処理手順を終了する。これによりコントローラ１１においては、次にユーザーが乗車した際に、この記録部１３における乗車時の記録との比較により、降車した後、乗車するまでの間の忘れ物を検出できるようになされている。
【００４４】
これに対してステップＳＰ２２で肯定結果が得られると、コントローラ１１は、ステップＳＰ２２からステップＳＰ２５に移る。ここでコントローラ１１は、応答が得られた機器との間の認証等の処理を通信部１０に指示する。またその後、通信部１０の制御によりＩＤ情報を取得する。
【００４５】
このようにしてＩＤ情報を取得すると、コントローラ１１は、ステップＳＰ２６に移り、この検出したＩＤ情報により、記録部１３に記録された管理対象の記録を検索することにより、この応答を返した機器が管理対象として登録された機器か否か判断する。ここで否定結果が得られると、コントローラ１１は、ステップＳＰ２６からステップＳＰ２７に移り、応答が検出された全ての機器について処理を完了したか否か判断し、ここで否定結果が得られると、ステップＳＰ２７からステップＳＰ２８に移り、次の機器に処理対象を切り換え、ステップＳＰ２５に戻る。
【００４６】
これに対してステップＳＰ２６で肯定結果が得られると、コントローラ１１は、ステップＳＰ２６からステップＳＰ２９に移り、この管理対象の機器にあっては、車内に保持されていてユーザーにより携帯されていない旨、記録部１３の降車時の記録を設定し、ステップＳＰ２７に移る。これによりコントローラ１１は、車内で検出される全ての機器について、登録された機器か否かを順次検出し、登録されている機器については、記録部１３における降車時の記録に、ユーザーにより携帯されていないことを示す情報を設定する。
【００４７】
また車内で検出される全ての機器について、このような処理を完了すると、ステップＳＰ２７で肯定結果が得られることにより、ステップＳＰ２７からステップＳＰ３０に移る。
【００４８】
このステップＳＰ３０において、コントローラ１１は、ステップＳＰ２９の処理により車内で検出されて記録部１３に記録された機器以外の管理対象の機器については、乗車時に検出されて記録部１３に保持してなる記録を対応する降車時の記録にコピーし、これらにより全ての管理対象の機器について降車時に係る記録を更新する。しかして図３に示すＯＵＴの例では、ＰＤＡ２、携帯電話３については、この降車時の処理では車内で検出されず、これによりユーザーが持ち去ったと判断されるものの、パスについては車内で検出され、これによりユーザーにより携帯されていないことが示されるようになされている。
【００４９】
このようにして降車時の記録の設定を完了すると、コントローラ１１は、このように設定した降車時の記録と乗車時の記録とを比較し、これにより車内に放置された忘れ物を検出する。また続くステップＳＰ３１において、この検出結果により、図４について上述したと同様の表示を表示部１４に形成する。また忘れ物が検出された場合には、コントローラ６にハザードランプの点滅を指示し、これらによりユーザーに忘れ物の存在を通知した後、ステップＳＰ２４に移ってこの処理手順を終了する。なおこのように車両を降車した後におけるユーザーへの忘れ物の通知方法にあっては、例えばホーンにより警告音を発生する場合、ユーザーの携帯する携帯電話、ＰＤＡ等への通知等、種々の通知方法を広く適用することができる。
【００５０】
これらによりこの実施例において、コントローラ１１は、通信部１０で検出されるＩＤ情報により車内の機器を検出する検出部１１Ａと、この検出部１１Ａにより検出結果と、過去の検出結果とを比較して忘れ物を検出する比較部１１Ｂと、この比較部１１Ｂによる検出結果を表示部１４等に出力するインターフェース（ＩＦ）１１Ｃとを構成するようになされている。
【００５１】
（２）実施例の動作
以上の構成において、この持ち物管理装置１に係る車両においては（図２）、電子キー７によりドアロックが解除され、シートにユーザーが着席すると、これらの乗車に係る一連のユーザーによる動作をトリガにして、通信部１０による無線通信によりこの車両の室内に持ち込まれた無線通信可能な機器が順次検出され、この検出した機器が事前に登録された管理対象の機器か否か判断され、管理対象の機器でない場合、ユーザーにより管理対象への登録が受け付けられる。また管理対象の機器については、このような車両へのユーザーの乗車時に検出されたことが記録部１３に記録される。
【００５２】
これに対してユーザーが車両を降車して電子キー７によるドアロックの施錠により、持ち物管理装置１では、乗車時と同様にして通信部１０による無線通信によりこの車両の室内に放置されている無線通信可能な機器であって、管理対象に登録されている機器が順次検出される。しかしてこのようにしてユーザーが降車しても未だ車内で検出される機器にあっては、ユーザーにより携帯されていない機器であると言える。
【００５３】
これにより持ち物管理装置１においては、このような機器が管理対象の機器である場合、車両のコントローラ６への通知によりハザードランプが点滅され、これにより車両を離れつつあるユーザーに忘れ物の存在が通知される。また表示部１４に忘れ物の種類が表示され、これによりハザードランプの点滅により車内を覗き込んだユーザーに忘れ物の詳細が通知される。
【００５４】
これに対してこのような降車時における通信部１０による無線通信で検出されない機器にあっては、当初より車内に持ち込まれていない機器、ユーザーが携帯して車外に持ち出した機器の何れかである。
【００５５】
これにより持ち物管理装置１においては、このようにしてユーザーが降車しても未だ車内で検出される管理対象の機器、ユーザーが降車した後で検出されない管理対象の機器について、乗車時に検出された記録との比較により、ユーザーが携帯して持ち去った管理対象の機器が検出され、この機器が降車時の記録として記録部１３に記録される。これによりこの持ち物管理装置１においては、このようにして車両を降車したユーザーが再び車両に乗車する際の忘れ物を検出することができる。
【００５６】
すなわち再びユーザーが車両に乗車して持ち物管理装置１により検出される管理対象の機器について、降車時に記録されたユーザーが持ち去ってなる機器との間で比較結果が得られ、これにより降車時にユーザーが持ち去ったものの、続く乗車時には車内で検出されない機器が検出される。しかしてこの機器にあっては、例えばユーザーが出先、自宅等に置き忘れたものであると判断することができ、これにより持ち物管理装置１では、このような機器について音声により、表示部１４の表示により忘れ物が通知される。
【００５７】
しかしてこのようにユーザーによる乗車、降車をトリガに設定して、これらトリガの時点でそれぞれ検出されてなる機器についての比較により忘れ物を検出することにより、この実施例においては、常時、車内に存在する機器を監視しなくても、忘れ物を検出することができる。
【００５８】
またこのようにして過去の検出結果との比較により忘れ物を検出するようにして、忘れ物の検出に供してなる持ち物の検出結果を改めて記録して保持することにより、車両の乗車、降車に係る忘れ物をそれぞれ検出することができる。
【００５９】
またこのようにして記録を残すことにより、車内に持ち込んだ持ち物と、車内に残る持ち物との相違によりユーザーが携帯して車内より持ち出した機器を特定することができ、これにより続く乗車時における忘れ物を確実に検出することができる。
【００６０】
この持ち物管理装置１では、このようにしてユーザーに忘れ物を通知するようにして、この忘れ物の検出に供する車内の機器との間の無線通信時、機器の状態を示す状態情報が併せて取得され、この状態情報による機器の状態がユーザーに通知される。これによりこの持ち物管理装置１では、バッテリ切れ等により機器が使用困難となる状況を有効に回避してユーザーの使い勝手を向上することができるようになされている。
【００６１】
（３）実施例の効果
以上の構成によれば、乗車、降車をトリガにして、各時点でそれぞれ無線通信により検出される機器の比較によりユーザーの携帯する機器の変化を検出することにより、常時監視することなく、簡易かつ確実に、持ち物の紛失、置き忘れ等を防止することができる。
【００６２】
また機器の状態を示す状態情報を併せて取得し、この状態情報に基づいて機器の情報をユーザーに通知することにより、忘れ物の検出において、併せて機器の状況をユーザーに通知してユーザーの使い勝手を向上することができる。
【００６３】
またこのような無線通信による機器の検出を、乗車、降車によるトリガにより実行することにより、車内に置き忘れた忘れ物、車外に持ち出した機器の忘れ物を検出することができる。
【実施例２】
【００６４】
この実施例において、持ち物管理装置は、部屋の入退出管理に適用して、この入退出管理装置で検出される入室、退室をトリガにして、入退出管理装置で検出される入室、退室に係るユーザー毎に、各ユーザーの携帯する機器を検出し、この検出結果により忘れ物を検出してユーザーに通知する。
【００６５】
ここでこの入退出管理装置では、管理対象である部屋の入口、出口に設けられた非接触ＩＣカードリーダーにより、ユーザーの保持するＩＣカードにより入室、退室に係るユーザーをユーザー認証し、この認証結果により入室、退室を管理する。
【００６６】
持ち物管理装置では、この入退出管理装置によるユーザー認証結果より、入室、退室に係るユーザーを把握する。またＩＣカードリーダーにおけるＩＣカードの検出をトリガにして、このＩＣカードリーダーに近接して保持されたアンテナを用いた無線通信により、この入室、退室に係るユーザーの保持する機器を検出する。またこのようにして検出した機器を各ユーザー毎に記録して保持し、このようにして記録した過去の検出結果との比較により忘れ物を検出してユーザーに通知する。すなわち入室時に検出して記録した機器と、退室時に検出された機器との比較により室内に放置された忘れ物を検出し、ユーザーに通知する。また退室時に検出して記録した機器と、入室時に検出した機器との比較により、外出による忘れ物を検出してユーザーに通知する。
【００６７】
しかしてこの実施例においては、入退出管理装置が入室、退室に係るユーザーを識別するユーザー識別手段を構成し、このユーザー識別手段による識別結果に基づいた同一のユーザーに係る識別情報の比較により、このユーザーが保持してなる機器の変化を検出して忘れ物を検出するようになされている。
【００６８】
この実施例のように、ユーザー識別手段による識別結果に基づいた同一のユーザーに係る識別情報の比較により、忘れ物を検出するようにすれば、多数のユーザーに係る忘れ物を管理することができる。
【００６９】
またこのようにユーザーの携帯する機器の検出に係るトリガに部屋の入室、退室を適用して、部屋に置き忘れた忘れ物、外出による忘れ物を検出することができる。
【実施例３】
【００７０】
なお上述の実施例２においては、部屋の入退出管理に適用してユーザー毎に忘れ物を検出する場合について述べたが、本発明はこれに限らず、実施例１について上述した車両に係る持ち物管理装置においてもユーザー毎に管理するようにしてもよい。
【００７１】
また上述の実施例においては、入退出管理に係るユーザーのＩＣカードを基準にしてユーザー毎に忘れ物を検出する場合について述べたが、本発明はこれに限らず、例えば指紋認証、音声認証等、種々の認証手段による認証結果を基準にしてユーザー毎に忘れ物を管理する場合、さらには管理対象に係るユーザーの携帯する機器を基準にしてユーザー毎に忘れ物を管理する場合等、ユーザーの管理基準にあっては種々の管理基準を広く適用することができる。
【００７２】
また上述の実施例においては、車両の乗降、部屋の入退出に関して、忘れ物を検出する場合について述べたが、本発明はこれに限らず、公共の施設等の入退出に関して忘れ物を検出する場合等に広く適用することができる。
【産業上の利用可能性】
【００７３】
本発明は、例えば車両の乗降者に係る忘れ物の管理に適用することができる。
【図面の簡単な説明】
【００７４】
【図１】本発明の実施例１に係る持ち物管理装置におけるコントローラの処理手順を示すフローチャートである。
【図２】本発明の実施例１に係る持ち物管理装置を示すブロック図である。
【図３】図１の処理手順の説明に供する図表である。
【図４】忘れ物の検出結果に係る表示を示す平面図である。
【図５】図２の持ち物管理装置におけるコントローラの降車時に係る処理手順を示すフローチャートである。
【符号の説明】
【００７５】
１……持ち物管理装置、２……携帯電話、２Ａ、３Ａ、４Ａ、８、１０……通信部、２Ｂ、３Ｂ、４Ｂ、６、１１……コントローラ、３……ＰＤＡ、４……パス、１３……記録部
【図１】
2005128729.tif 000003
【図２】
2005128729.tif 000004
【図３】
2005128729.tif 000005
【図４】
2005128729.tif 000006
【図５】
2005128729.tif 000007